(57)【要約】      （修正有）【課題】スピンドルに取り付けられた玉鎖がスピンドルの回転により簡単に抜け落ちることのない洗浄操作装置を提供する。【解決手段】洗浄タンク内に連結されて洗浄タンク内に延出したスピンドル９６と、スピンドル９６の先端側に設けられた玉鎖の取付部１１６，１１８と、を有し、取付部１１６，１１８に大洗浄用の玉鎖と小洗浄用の玉鎖とを取り付けて、スピンドル９６の一方向の回転により大洗浄用の玉鎖と小洗浄用の玉鎖との一方の玉鎖を引き上げ、逆方向の他方向の回転により他方の玉鎖を引き上げることによって、洗浄水を大量に放出する大洗浄と小量に放出する小洗浄とを行わせる洗浄操作装置において、スピンドル９６の先端側に設けられ、玉鎖を取付部に導くスリット１４０が形成されたガイド面１３８と、を有し、ガイド面１３８の一部は、取付部１１６，１１８から遠ざかる方向に傾斜する傾斜面１３９を有する。【選択図】図６
2014070409.tif 000002
【特許請求の範囲】
【請求項１】
洗浄ハンドルに連結されて洗浄タンク内に延出したスピンドルと、
上記スピンドルの先端側に設けられ玉鎖の取付部が形成されたヘッド部と、を有し、
上記取付部に大洗浄用の玉鎖と小洗浄用の玉鎖とを取り付けて、上記スピンドルの一方向の回転により大洗浄用の玉鎖及び小洗浄用の玉鎖のうちいずれか一方の玉鎖を引き上げ、逆方向の他方向の回転により他方の玉鎖を引き上げることによって、洗浄水を大量に排水する大洗浄と小量に排水する小洗浄とを行わせる洗浄操作装置において、
上記ヘッド部に設けられ、玉鎖を取付部に導くスリットが形成されたガイド面を有し、
上記ガイド面は、
取付部に接続するスリットの終端が形成された上面部と、
上記取付部に取り付けられた玉鎖の上下に隣接した一対の玉のうちの下側の玉を内部に収容する状態にし、上記下側の玉を上記スピンドルに対する先端面からの正面視において左右方向の外方から覆う側面部と、を備え、
上記ガイド面の上面部の一部は、上記取付部から遠ざかる方向に向けて上方に傾斜する傾斜面を有する洗浄操作装置。
【請求項２】
上記側面部に形成されたスリットの一部に、上記下側の玉を挿入する下玉挿入部を設けた請求項１記載の洗浄操作装置。
【請求項３】
上記スリットの一部が、上記スピンドルの軸方向の向きに沿って形成されている請求項１記載の洗浄操作装置。
【発明の詳細な説明】
【技術分野】
【０００１】
本発明は、便器の洗浄タンクに設けられ、特に、玉鎖を引き上げて洗浄タンクの排水弁を開操作する洗浄操作装置。
【背景技術】
【０００２】
従来、洗浄ハンドルに連結されて洗浄タンク内に延出したスピンドルと、スピンドルの先端側に設けられた玉鎖の取付部及び引上げ部とを有し、取付部に大洗浄用の玉鎖と小洗浄用の玉鎖とを取り付けて、スピンドルの一方向の回転により引上げ部にて大洗浄用の玉鎖及び小洗浄用の玉鎖のうちいずれか一方の玉鎖を引き上げ、逆方向の他方向の回転により引上げ部にて他方の玉鎖を引き上げることによって、洗浄水を大量に排水する大洗浄と小量に排水する小洗浄とを行わせる洗浄操作装置が公知である。
【０００３】
図１及び図２はその具体例を示している。
図１において、２００は洗浄ハンドル２０２に連結されて洗浄タンク内に延出するスピンドルである。また、２０１はスンピンドル２００と洗浄ハンドル２０２を洗浄タンクに固定するためにスピンドル２００に嵌められたナットである。
図２に示すように、スピンドル２００は、先端部にヘッド部２１４を有している。
ヘッド部２１４は、その上端部で且つスピンドル２００に対する正面視において左、右の位置に大洗浄側の取付部２０８と、小洗浄側の取付部２０６とを有している。そして、取付部２０８に大洗浄用玉鎖２２２が、また取付部２０６に小洗浄用玉鎖２２４が、各々固定状態に取り付けられている。
【０００４】
玉鎖２２２、２２４を、取付部２０８、２０６に取り付けるには、取付部２０８、２０６に連なるガイド面２１１、２１０に形成されたスリット２０５、２０４に対して玉鎖２２２、２２４をそれぞれ挿入して取り付けられる。
【０００５】
ヘッド部２１４は、また、取付部２０８と取付部２０６との左右の間の位置において、取付部２０８、２０６よりも所定距離下側位置まで鉛直方向下向きに引き上げアーム２１２を有している。この引き上げアーム２１２は１枚のリブにて構成してある。
【０００６】
図１、図２に示す洗浄操作装置では、図２（ｃ）に示すように取付部２０８を上昇させる方向に洗浄ハンドル２０２にてスピンドル２００を回転させると、引き上げアーム２１２の先端部２１２ａによって大洗浄用玉鎖２２２が引き上げられる一方、小洗浄用玉鎖２２４が押し下げられる。また、洗浄ハンドル２０２にてスピンドル２００を逆方向に回転させると、今度は取付部２０６が上昇して小洗浄用玉鎖２２４が引き上げられ、大洗浄用玉鎖２２２が押し下げられる。
【０００７】
しかしながら、この図１、２に示す洗浄操作装置の場合、例えば図２（ｃ）に示すように大洗浄用玉鎖２２２が引き上げ、小洗浄用玉鎖２２４が押し下げられた際に、小洗浄用玉鎖２２４には玉鎖自身の重さにより下方向の力がかかっているため、取付用のスリット２０４より抜け落ちやすくなる。また、これとは逆に小洗浄用玉鎖２２４が引き上げられ、大洗浄用玉鎖２２２が押し下げられた際は、大洗浄用玉鎖２２２がスリット２０５より抜け落ちやすくなる。
【先行技術文献】
【特許文献】
【０００８】
【特許文献１】特開２０１２−１６２８６６号公報
【発明の概要】
【発明が解決しようとする課題】
【０００９】
本発明は上記のような事情を背景とし、スピンドルに取り付けられた玉鎖がスピンドルの回転により簡単に抜け落ちることのない洗浄操作装置を提供することを目的としてなされたものである。
【課題を解決するための手段】
【００１０】
前記のような課題を解決するために、本発明は、以下のような手段を採用している。すなわち、本発明の洗浄操作装置は、洗浄ハンドルに連結されて洗浄タンク内に延出したスピンドルと、スピンドルの先端側に設けられ玉鎖の取付部が形成されたヘッド部と、を有し、取付部に大洗浄用の玉鎖と小洗浄用の玉鎖とを取り付けて、スピンドルの一方向の回転により大洗浄用の玉鎖及び小洗浄用の玉鎖のうちいずれか一方の玉鎖を引き上げ、逆方向の他方向の回転により他方の玉鎖を引き上げることによって、洗浄水を大量に排水する大洗浄と小量に排水する小洗浄とを行わせる洗浄操作装置において、ヘッド部に設けられ、玉鎖を取付部に導くスリットが形成されたガイド面を有し、ガイド面は、取付部に接続するスリットの終端が形成された上面部と、取付部に取り付けられた玉鎖の上下に隣接した一対の玉のうちの下側の玉を内部に収容する状態にし、下側の玉を上記スピンドルに対する先端面からの正面視において左右方向の外方から覆う側面部と、を備え、ガイド面の上面部の一部は、上記取付部から遠ざかる方向に向けて上方に傾斜する傾斜面を有する。
【００１１】
このような構成とすることにより、スピンドルが回転操作された際も、玉鎖がスリットより抜け落ちることを防止できる。即ち、スリットが形成されたガイド面の上面部の一部が、取付部から遠ざかる方向に向けて上方に傾斜する傾斜面を有しているため、大洗浄あるいは小洗浄の際に、スピンドルが回転操作された際も、その傾斜面により玉鎖の移動が抑制され、玉鎖の抜け落ちが防止できる。
【００１２】
本発明は、好ましくは、側面部に形成されたスリットの一部に、下側の玉を挿入する下玉挿入部を設けた。
【００１３】
このような構成とすることにより、取付部に取り付けられた玉鎖が、ガイド面の側面部により左右方向に外れることを防止できると共に、その側面部のスリットの一部に設けられた下玉挿入部により、玉鎖の上下に隣接した一対の玉のうちの下側の玉をガイド面の内側に容易に嵌め込むことができる。よって、玉鎖を下方に垂らした状態で、側方から水平移動させて取り付けることができ、取り付け作業が容易になる。
【００１４】
本発明は、好ましくは、スリットの一部が、スピンドルの軸方向の向きに沿って形成されている。
【００１５】
このような構成とすることにより、スリットの一部がスピンドルの回転方向に対して直交する向きに形成されているため、スピンドルを回転させたとしても、玉鎖に対してスリットから抜け落ちる方向の力がかかりにくい。したがって、玉鎖の抜け落ちが防止できる。
【発明の効果】
【００１６】
本発明によれば、スピンドルが回転操作された際も、玉鎖がスリットより抜け落ちることがなく、適切に洗浄操作を行うことができる洗浄操作装置を提供することができる。
【図面の簡単な説明】
【００１７】
【図１】従来の洗浄操作装置を示した図である。
【図２】図１の洗浄操作装置のレバー部の拡大図である。
【図３】本発明の第１実施形態の洗浄操作装置を洗浄タンク等とともに示した図である。
【図４】図３のフラッパ弁とその周辺部を示した図である。
【図５】同実施形態の洗浄操作装置を示した図である。
【図６】同実施形態のレバー部の拡大図である。
【図７】同実施形態のレバー部を図６とは異なった方向で示した図である。
【図８】同実施形態の洗浄操作装置におけるレバー部と玉鎖との結合関係を示した図である。
【図９】洗浄ハンドルが中立状態の時のフラッパ弁とフロート等の作用説明図である。
【図１０】大洗浄時のフラッパ弁とフロート等の作用説明図である。
【図１１】小洗浄時のフラッパ弁とフロート等の作用説明図である。
【図１２】第２実施形態のレバー部の拡大図である。
【図１３】第３実施形態のレバー部の拡大図である。
【図１４】同実施形態の洗浄操作装置におけるレバー部と玉鎖との結合関係を示した図である。
【発明を実施するための形態】
【００１８】
次に本発明を実施するための第１の実施形態について、図面を基に説明する。
図３において、１０は洗浄タンクである。（以下単にタンクとする。）図中１６はタンク１０の底部を、１８はタンク壁を表している。
タンク１０の底部１６には、図４に示しているように内部の洗浄水を便器に排水する排水口２０と、これを開閉する排水弁としてのフラッパ弁２２とが設けられている。
図４において、２４は排水口２０に連通して設けられたオーバーフロー管で、タンク１０の内部において底部１６から上向きに立ち上がっている。
【００１９】
フラッパ弁２２は、図４に示しているようにシール部材を保持した弁部２８、２９と、これらから図中左方に延び出したアーム３０、３１とを有している。
アーム３０、３１の一端部にはフック状の掛止部３２、３３が設けられており、これら掛止部３２、３３が、それぞれオーバーフロー管２４の外周面に突出した軸部３４に回転可能に掛止されている。
フラッパ弁２２の弁部２８、２９は、それぞれ軸部３４周りに回転運動することによって開閉動作する。
【００２０】
図３において、３６は小洗浄用玉鎖で、３８は大洗浄用玉鎖であり、小洗浄用玉鎖３６はその下端部がフラッパ弁２２の弁部２８の取付部４０に、大洗浄用玉鎖３８はその下端部がフラッパ弁２２の弁部２９の取付部４２にそれぞれ取り付けられている。
また、４４は小洗浄用玉鎖３６に取り付けられたフロートであり、４６は弁部２９の取付部４２と一体的に形成されたフロートである。
【００２１】
このように構成されたフラッパ弁２２の動作について、詳細は後述するが、小洗浄用玉鎖３６が引き上げられた際は、弁部２８のみが開弁され、大洗浄用玉鎖３８が引き上げられた際は、弁部２８と２９の両方が開弁される。それらを切り替えることで、便器に向けて洗浄水を少量排水する小洗浄と、大量排水する大洗浄とを切り替える。
【００２２】
図３において、９２は本実施形態の洗浄操作装置で、タンク壁１８に固定された洗浄ハンドル９４と、これに連結されてタンク内に延出したスピンドル９６とを有している。
図５において、９８は洗浄ハンドル９４及びスピンドル９６をタンク壁１８に取付けるための取付部材で、雄ネジ部１００を有しており、そこにナット１０２がねじ込まれることでタンク壁１８に固定されている。
【００２３】
スピンドル９６は、基端側に雄嵌合部１０４が形成され、洗浄ハンドル９４の雌嵌合部１０８に嵌め込まれて固定されている。
スピンドル９６の先端側には、スピンドル９６に対して直角に屈曲したレバー部１１２が一体に形成されている。
ここでレバー部１１２は縦向き、即ち通常の状態（洗浄ハンドル９４を回転させない状態）において、垂直下向きに延びている。
【００２４】
レバー部１１２は、図６（Ｃ）及び図７に示しているように先端側にヘッド部１１４を有している。
また、ヘッド部１１４はその上端部で、且つスピンドル９６に対する正面視において左、右の位置に、大洗浄側の取付部１１６と、小洗浄側の取付部１１８とを有している。そして、取付部１１６に大洗浄用玉鎖３８が、また取付部１１８に小洗浄用玉鎖３６が各々取り付けられている。
【００２５】
ここで各取付部１１６、１１８は、図６（Ａ）及び図７に示すように、各々玉鎖の繋ぎ材３６ｂを上下方向に挿通する挿通孔１２０と、そこに挿通された繋ぎ材３６ｂの上側の玉３６ａ（図８参照）と下側の玉３６ｃとに係合する係合部１２２とを有している。
大洗浄用玉鎖３８及び小洗浄用玉鎖３６の各々は、繋ぎ材３６ｂを挿通孔１２０に挿通し、上側の玉３６ａと下側の玉３６ｃとに係合部１２２を係合させることで各取付部１１６、１１８に取り付けられる。
これら取付部１１６、１１８に取り付けられた大洗浄用玉鎖３８と小洗浄用玉鎖３６とは、各々取付部１１６、１１８から左、右に分かれて下向きに垂れ下がった状態となる。
【００２６】
ヘッド部１１４は、また、取付部１１６と１１８との左右の間の位置において、取付部１１６，１１８よりも設定距離下側位置まで垂直下向きに延び出た引上げアーム１２４を有している。
ここで引上げアーム１２４は１枚の板状のリブにて構成してある。
この引上げアーム１２４は、大洗浄用の玉鎖３８及び小洗浄用の玉鎖３６の何れにも固定されておらず、通常時においてそれらに対しフリーの状態にある。
【００２７】
そして大洗浄用の玉鎖３８，小洗浄用の玉鎖３６の夫々は、取付部１１６，１１８から引上げアーム１２４に沿って垂直下向きに垂れ下がった状態にある。
従ってこの状態で洗浄ハンドル９４を、図３中右からの正面視において時計方向に回転させると、これと同方向にスピンドル９６及び引上げアーム１２４が回転し、引上げアーム１２４がその先端部１２４ａを、小洗浄用の玉鎖３６に引掛けてこれを引き上げる。
【００２８】
ここにおいてフラッパ弁２２の弁部２８が引き上げられて開弁し、タンク１０内の洗浄水が少量排水されて便器の小洗浄が行われる。
このとき、大洗浄用の玉鎖３８は引き上げアーム１２４にて引き上げられることなく、取付部１１６から垂れ下がったままとなる。
【００２９】
逆に洗浄ハンドル９４を、図１中右側からの正面視において反時計方向に回転させると、今度は同方向に回転する引上げアーム１２４がその先端部１２４ａを、大洗浄用の玉鎖３８に引掛けてこれを引き上げる。
而して大洗浄用の玉鎖３８が引き上げられると、上記の弁部２９及び２８が引き上げられて開弁し、タンク内の洗浄水が便器に向けて大量に排水され、便器の大洗浄が行われる。
このとき、小洗浄用の玉鎖３６は引上げアーム１２４によって引き上げられることはなく、取付部１１８から下向きに垂れ下がったままである。
【００３０】
更にヘッド部１１４は、図６及び図７に示しているように引き上げアーム１２４に対してスピンドル９６の軸方向の前後位置に、前後に対向した一対の板状の規制壁１２８を有する。この前後の規制壁１２８により、大洗浄用玉鎖３８及び小洗浄用玉鎖３６の引き上げ時に、大洗浄用玉鎖３８及び小洗浄用玉鎖３６が引き上げアーム１２４から前後方向にずれて、外れることを防止できる。
【００３１】
ヘッド部１１４はまた、それぞれ取付部１１６、１１８から規制壁１２８沿って湾曲しながら下向きに延びるガイド面１３８と、取付部１１６、１１８の挿通孔１２０に続いてガイド面１３８に設けられたスリット１４０とを有している。
ここでガイド面１３８は、図８に示しているようにスリット１４０が形成された上面部１４１と側面部１４２とを有しており、取付部１１６，１１８に取り付けられた、上下に隣接した一対の玉３６ａ，３６ｃのうちの下側の玉３６ｃを内部に収容する状態に、下側の玉３６ｃを左右方向の外方から覆う形状をなしている。
【００３２】
なお、スリット１４０は、玉鎖３６、３８を取付部１１８、１１６に取り付けるにあたって、玉鎖の繋ぎ材４０を、ガイド面１３８を通過して取付部１１８、１１６の挿通孔１２０に持ち来すためのものである。
このときには、下側の玉３６ｃをスリット１４０の下端からガイド面１３８の内側に先ず嵌め入れた状態とし、その状態でスリット１４０に沿って繋ぎ材４０を上側の玉３６ａとともに取付部１１８，１１６側に移動させる。
【００３３】
また、挿通孔１２０に持ち来された玉鎖３６、３８が、スリット１４０から抜け落ちることが無いように、スリット１４０が設けられたガイド面１３８の上面部１４１の一部に、取付部１１８、１１６から遠ざかる方向に向けて上方に傾斜する傾斜面１３９を設けている。これにより、図８（Ｂ）に示すように、スピンドル９６が回転し、玉鎖３６、３８に下向きの力がかかった際も、傾斜面１３９がそれを支えることで、玉鎖３６、３８の移動を抑制し、玉鎖３６、３８がスリット１４０から抜け落ちることがないように構成されている。
【００３４】
次に本実施形態の作用を説明する。
この実施形態において、洗浄ハンドル９４が図５に示す中立状態にあるとき、図９に示しているようにフラッパ弁２２の弁部２８、２９は閉弁状態にあり、フロート４４は水中に没した位置でストッパ９０に当接した状態にある。
【００３５】
この状態から洗浄ハンドル９４を大洗浄側、つまり反時計側に回転させると、レバー部１１２に設けられた引き上げアーム１２４が同方向に回転し、そしてその先端部１２４ａを大洗浄用の玉鎖３８の、取付部１１６から所定距離下側の部位を引掛けて玉鎖３８を所定の距離だけ引き上げる。
これにより図１０に示しているように弁部２８、２９が一体となって引き上げられる。具体的には、弁部２９はその中心に排水口２０に連通する開口部７０を有するよう形成されているため、その開口部７０を弁部２８により塞いだ状態のまま、弁部２８、２９が一体となって開弁することになる。これら弁部２８、２９は、フロート４４、４６の浮力により開弁状態に維持され、タンク１０内の洗浄水が開放された排水口２０から便器に向かって排水される。
その後、タンク１０内の洗浄水の排水に伴って、タンク内の水位は下降していく。
そして、水位が一定距離下側位置まで下がったところで、フロート４４、４６に作用する浮力と、弁部２８、２９及びフロート４４、４６自体の重力がバランスした状態となり、その後フロート４４、４６は水位の下降に伴って下向きに移動して弁部２８、２９は閉弁状態になる。
【００３６】
一方、洗浄ハンドル９４を大洗浄時とは逆の小洗浄側、つまり上記の時計方向に回転させると、今度はレバー部１１２の引き上げアーム１２４がその先端部１２４ａを、小洗浄用の玉鎖３６に引掛けて、玉鎖３６を所定距離だけ引き上げる。
【００３７】
これにより図１１に示しているように弁部２８のみが引き上げられ、排水口２０に連通する弁部２９の開口部７０を開放することで、タンク１０内の洗浄水が開口部７０を介して排水口２０から便器に向かって排水される。
【００３８】
この小洗浄時は、フロート４４のみの浮力により弁部２８が開弁状態に維持され、さらにフロート４４の位置が、フロート４６の位置に比べて高い位置になるため、大洗浄時に比べて早い段階で閉弁する。
そのため、小洗浄時においては、洗浄水の排水水量が少なく、少ない水量で便器洗浄を行う。
【００３９】
以上のように、本実施形態の洗浄操作装置９２は、従来の洗浄操作装置のように大洗浄用玉鎖、小洗浄用玉鎖が、スピンドルの回転によりスリットから抜け落ちる恐れがなく、適切な洗浄操作が可能になる。
即ち、スリットが形成されたガイド面１３８の一部に、取付部１１８、１１６から遠ざかる方向に向かって、上方に傾斜する傾斜面１３９を設けたことで、スピンドル及びレバー部が回転運動し、玉鎖３６、３８に下方向の力がかかった際も、その傾斜面１３９によって玉鎖３６、３８の移動を抑制し、玉鎖３６、３８がスリットから抜け落ちることを防止することができる。
【００４０】
次に、図１２により第２の実施形態について説明する。以下では、第１の実施形態と異なる点を中心に説明する。
図１２に示すように、第２の実施形態のスピンドル及びレバー部では、ガイド面１３８の一部に下玉挿入部５２が形成されている。したがって、玉鎖３６、３８を取付部１１８、１１６に取付けるにあたっては、玉鎖３６、３８の下側の玉３６ｃを下玉挿入部５２からガイド面１３８の内側に嵌め入れるだけでよいため、玉鎖を下方に垂らした状態で、側方から水平移動させて取り付けることができ、取り付け作業が容易になる。
【００４１】
次に、図１３、図１４により第３の実施形態について説明する。
図１３に示すように、第３の実施形態のスピンドル及びレバー部では、スリット１４０が屈曲して形成され、規制壁１２８にも設けられている。そして、規制壁１３９に設けられたスリット１４０の一部には、第２実施形態と同様に下玉挿入部５２が形成されている。
【００４２】
第３の実施形態における玉鎖３６、３８の取り付け方法は以下のようになっている。まず、玉鎖３６、３８を規制壁１２８側から挿入する。この時、予め規制壁１２８に形成されたスリット１４０の形状に合わせて玉鎖３６、３８を屈曲させ、玉鎖の下側の玉３６ｃを下玉挿入部５２からガイド面１３８の内側に嵌め入れるように玉鎖を移動させる。上側の玉３６ａと下側の玉３６ｃとの間の繋ぎ材３６ｂは、上側スリット１２０ａに沿って移動し、下側の玉３６ｃの下に設けられた繋ぎ材３６ｄは、下側スリット１２０ｂに沿って移動する。それにより玉鎖の上側の玉３６ａが取付部１１８、１１６まで導かれ、玉鎖は下方に垂れ下がった状態となる。
【００４３】
この第３実施形態では、上側スリット１２０ａの一部がスピンドル９６の軸方向に沿って形成され、レバー部１１２のヘッド部１１４の回転方向に対して直交する向きになるため、スピンドル９６を回転し、それに伴いレバー部１１２のヘッド部１１４が回転した際も、玉鎖がスリット１２０から抜け落ちることがない。つまり、上側スリット１２０ａがレバー部１１２のヘッド部１１４の回転方向に対して直交する向きに設けられているため、仮に玉鎖３６、３８に下向きの力がかかったとしても、上側スリット１２０ａに対しては抜け落ちる方向の力ではないため、玉鎖がスリット１２０より抜け落ちることがない。
【００４４】
なお、この第３実施形態においても、第１実施形態及び第２実施形態と同様、スリットが形成されたガイド面１３８の上面部１４２の一部に傾斜面１３９が形成されており、玉鎖３６、３８に如何なる力がかかったとしても、玉鎖３６、３８がスリット１２０から抜け落ちることを防止している。
【００４５】
以上本発明の実施形態を詳述したがこれはあくまで一例示であり、本発明は例えば大洗浄側と小洗浄側とで玉鎖の取付部の位置をスピンドルに対する正面視において前後方向に異ならせたり、高さ方向に異ならせたりすることも可能であるし、玉鎖の取付部を上記とは別の個所に設けておくことも可能である。本発明はその趣旨を逸脱しない範囲において種々変更を加えた形態で構成可能である。
【符号の説明】
【００４６】
１０    洗浄水タンク
３６、３８    玉鎖
９２    洗浄操作装置
９４    洗浄ハンドル
９６    スピンドル
１１６、１１８    取付部
１２４    引き上げアーム
１２４ａ    先端部
１２８    規制壁
１３８    ガイド面
１４０    スリット
【図１】
2014070409.tif 000003
【図２】
2014070409.tif 000004
【図３】
2014070409.tif 000005
【図４】
2014070409.tif 000006
【図５】
2014070409.tif 000007
【図６】
2014070409.tif 000008
【図７】
2014070409.tif 000009
【図８】
2014070409.tif 000010
【図９】
2014070409.tif 000011
【図１０】
2014070409.tif 000012
【図１１】
2014070409.tif 000013
【図１２】
2014070409.tif 000014
【図１３】
2014070409.tif 000015
【図１４】
2014070409.tif 000016